(57)【要約】  箱状のパッケージ本体（３）と挿し窓（４）とを備えてなる商品パッケージ（１）において、挿し窓（４）の内側部分に保持させた付属品（５）が、ユーザー等の手に当たって違和感を与えたり、挿し窓（４）の挿入作業の妨げになることを防止するために、前後左右の側板（３ａ〜３ｄ）と、底板（３ｅ）と、上部に設けられた蓋板（３ｆ〜３ｉ）からなる蓋部とを有し、側板（３ａ〜３ｄ）の一部に開口（３ｎ）が形成されてなる箱状のパッケージ本体（３）と、パッケージ本体（３）内に挿し込まれて開口（３ｎ）を閉じる透明部材製の挿し窓（４）と、開口（３ｎ）を閉じる挿し窓（４）の部分に保持される薄形の付属品（５）とからなる商品パッケージ（１）において、挿し窓（４）の開口（３ｎ）を閉じる部分に、内方に向かって凸となる形状の複数の切り込み（４ａ）を形成し、付属品（５）を、その辺縁部を切り込み（４ａ）に挿入することにより、挿し窓（４）にパッケージ本体（３）内部側から保持させる。
2019021967.tif 000002
【特許請求の範囲】
【請求項１】
前後左右の側板と、底板と、上部に設けられた開閉自在の蓋部とを有し、前記側板の一部に、収容される商品を外部から観察可能にする開口が形成されてなる箱状のパッケージ本体と、  前記蓋部が開けられた前記パッケージ本体の上部から該パッケージ本体内に挿し込まれ、前記側板の一部にパッケージ本体内部側から接して前記開口を閉じる、透明部材製の挿し窓と、  前記挿し窓の前記開口を閉じる部分に保持された薄形の付属品と、からなる商品パッケージであって、  前記挿し窓の前記開口を閉じる部分に、内方に向かって凸となる形状の複数の切り込みが形成されており、  前記付属品が、その辺縁部を前記切り込みに挿入することにより、前記挿し窓にパッケージ本体内部側から保持されている商品パッケージ。
【請求項２】
前記付属品が概略四角形の外形を有するものであり、  前記切り込みが、前記四角形の辺の部分が挿入される位置に形成されている請求項１に記載の商品パッケージ。
【請求項３】
前記付属品が概略円形の外形を有するものである請求項１に記載の商品パッケージ。
【請求項４】
前記パッケージ本体が、少なくとも前記開口が形成された側板の部分において上から下に向かって細くなるテーパ状とされ、  前記挿し窓の前記開口を閉じる部分が、前記テーパ状とされた側板の部分に対応するテーパ状とされている請求項１から３のいずれか１項に記載の商品パッケージ。
【請求項５】
前記付属品が、化粧料を内包したパウチ体である請求項１から４のいずれか１項に記載の商品パッケージ。
【請求項６】
前記付属品が、前記商品を使用するユーザーに向けたメッセージが表示されたカードである請求項１から５のいずれか１項に記載の商品パッケージ。
【発明の詳細な説明】
【技術分野】
【０００１】  本発明は商品パッケージ、特に詳しくは、商品を収容する箱状のパッケージ本体と、このパッケージ本体に設けられた開口を閉じる透明な挿し窓とを備えてなり、挿し窓に薄形の付属品を提示するようにした商品パッケージに関するものである。
【背景技術】
【０００２】  従来、外部から内部の商品が観察できる透明な窓部分を有する商品パッケージとしては、透明部分がセロファンや薄い透明な合成樹脂板等で構成され、箱本体に接着されたものが一般的に知られている。一方、例えば特許文献１や２に示されているように、内部に商品を収容し、一部に開口が設けられた箱状のパッケージ本体と、このパッケージ本体の中に挿し入れられて上記開口を閉じる挿し窓（本体に接着されていない）とを備えてなる商品パッケージも知られている。なお上記挿し窓は通常、薄い合成樹脂板等の透明部材から構成される。【０００３】  このようにパッケージ本体の開口を挿し窓によって閉じておけば、この開口を通って商品がパッケージ本体の外に出てしまうことがない。そして、挿し窓は透明であるから、開口を通してパッケージ本体内の商品が外部から観察され得る。また、特に挿し窓の形状が、パッケージ本体内の一部に緊密に嵌り込むような形状とされていれば、開口を有することにより変形しやすくなっているパッケージ本体を、その挿し窓によって補強することもできる。【０００４】  一方、製品の箱に、付属品として薄型の試供品（アルミパウチ等）やカードを添付することがある。付属品を箱の外側に粘着剤等で貼付すると、付属品が外れたり汚れてしまうことがある。そのため、箱の一部に透明な部分を設け、箱の内部に薄型の試供品やカードを添付し、外側から視認できるようにすることができる。しかし、透明な部分を設けた箱において、透明窓部分が箱と接着されている場合、内側への貼付又は添付を行うことは、箱へのセット工程が、煩雑となり、効率が悪いという欠点があった。【０００５】  そこで、本発明者らは、本体箱と透明窓部分が接着されていない挿し窓からなる商品パッケージとし、差し窓部分にスリットを入れ、付属品を取り付けた後に、箱本体にセットすることにより、効率化が図れることを見出した。【０００６】  一方で、このように、本体箱と挿し窓からなる商品パッケージとした場合に、薄形の付属品を、薄い透明部材からなる挿し窓に接する形で保持するためには、保持する側の薄い部材に、４本の直線的な切り込みを設けた構造を適用することが考えられる。この構造は従来から良く知られたものであるが、以下、分かり易いように付属品が四角形であると仮定して説明する。４本の直線的な切り込みは、取り付けられた四角形の付属品の短辺および長辺に対して各々が例えば４５度の角度をなし、かつ、付属品の中央部が位置する辺りを取り囲むようにして挿し窓に設けられる。そして付属品は、それらの切り込みを、四隅部分が付属品の中央部から外方に向けて通過するようにして、該切り込みに挿入される。
【先行技術文献】
【特許文献】
【０００７】
【特許文献１】実公平３−２７９４４号公報
【特許文献２】実開昭６１−１９５２４号公報
【発明の概要】
【発明が解決しようとする課題】
【０００８】  しかし、４本の直線的な切り込みを挿し窓に設けた構造には、下記の問題が認められる。すなわち、薄形の付属品を挿し窓に対して、その内側表面に接する状態で取り付けた場合は、付属品の四隅部分がそれぞれ上記切り込みを通過して、挿し窓の外側に突出することになる。このように付属品の四隅部分が挿し窓の外側に突出していると、通常直角になっている四隅部分の先端が、挿し窓をパッケージ本体に挿し込む際にパッケージ本体側と干渉して、この挿し込みの作業をし難くすることがある。また、挿し窓の外側に突出した上記四隅部分の先端は、商品パッケージを持つユーザー等の手に当たって違和感を与えることもある。挿し窓をパッケージ本体に挿し込んでから付属品を保持させる場合は、前者の問題を招くことはないが、後者の問題は、挿し窓の挿し込み作業と付属品取り付け作業の手順に関わらず起こり得るものである。【０００９】  本発明は上記の事情に鑑みてなされたものであり、箱状のパッケージ本体に、薄型の付属品を添付する際に、箱の外側から視認でき、はがれ、持ち去り、汚れがないよう、付属品を内側に添付する際、作業時の違和感がなく効率よくセットできる箱とすること、また、効率よくセットできる箱として、箱状のパッケージ本体と挿し窓とを備えてなる商品パッケージとした際に、挿し窓の内側部分に保持させた付属品の一部が、ユーザー等の手に当たって違和感を与えたり、挿し窓を挿し入れる作業の妨げになることを防止することを目的とする。
【課題を解決するための手段】
【００１０】  本発明による商品パッケージは、  前後左右の側板と、底板と、上部に設けられた開閉自在の蓋部とを有し、側板の一部に、収容される商品を外部から観察可能にする開口が形成されてなる箱状のパッケージ本体と、  蓋部が開けられたパッケージ本体の上部から該パッケージ本体内に挿し込まれ、側板の一部にパッケージ本体内部側から接して上記開口を閉じる、透明部材製の挿し窓と、  挿し窓の上記開口を閉じる部分に保持された薄形の付属品と、からなる商品パッケージであって、  挿し窓の上記開口を閉じる部分に、内方に向かって凸となる形状の複数の切り込みが形成されており、  付属品が、その辺縁部を上記切り込みに挿入することにより、挿し窓にパッケージ本体内部側から保持されている、ことを特徴とするものである。【００１１】  なお、上記の「内方に向かって凸」とは、挿し窓の上記開口を閉じる部分の外縁部から、挿し窓の中心側に向かって凸になっていることを意味する。また、複数の切り込みの数は、典型的には４つ、３つ等であるのが望ましい。特に、下に述べるように付属品が概略四角形の場合は、落下防止の観点から４つが望ましい。【００１２】  上記構成を有する本発明の商品パッケージにおいて付属品としては、例えば、商品パッケージに収容された商品の使用方法や広告等を記したカード類や、その商品に関連する商品のサンプル等が挙げられる。上記サンプルとしては、商品パッケージに収められる商品が一例として化粧品である場合には、その商品が貯える化粧料と同じ試供用の化粧料や、あるいはその商品が貯える化粧料とは異なる関連化粧料（シャンプーに対してリンス等）を内包したサンプル等が挙げられる。【００１３】  また、オンデマンドによりカスタマイズ印刷された印刷物（個人の名前や情報を印刷したもの等）をカード状に印刷する、あるいは、顧客にあったデザインをその場で印刷し、容器に添付、貼付することもできる。【００１４】  上記の付属品は薄形のもので、収容された商品と干渉しないように、挿し窓の内側表面に接する状態で取り付けられる。上記カード類は、本来そのような薄形のものである。また、上記試供用の化粧品等も、化粧料を内包した薄いパウチ体から構成されることが多い。形状としては、概略四角形の外形を有するものとされ、そして上記切り込みが、上記四角形の辺の部分が挿入される位置に形成されていることが望ましい。【００１５】  また、上記構成を有する本発明の商品パッケージにおいて、付属品は概略円形の外形を有するものとされてもよい。なお、この「概略円形」とは、より具体的には、真円形、楕円形、長円形、それらを合成した形などを意味するものである。【００１６】  また、上記構成を有する本発明の商品パッケージにおいては、  パッケージ本体が、少なくとも上記開口が形成された側板の部分において上から下に向かって細くなるテーパ状とされ、挿し窓の上記開口を閉じる部分が、テーパ状とされた側板の部分に対応するテーパ状とされていてもよいが、これに限られるものではない。【００１７】  上記の「対応する」とは、挿し窓の上記開口を閉じる部分と、テーパ状とされた側板の部分とが、少なくとも一部同士においてほぼ緊密に重なり合うことを意味する。そしてこ��「ほぼ緊密に重なり合う」とは、上記２つの部分が完全に同じ形状であることは勿論ながら、それに限らず、上記２つの部分が完全に同じ形状に近い形状となっていることも意味するものである。【００１８】  上記付属品の好ましい例としては、化粧料を内包したパウチ体や、商品を使用するユーザーに向けたメッセージが表示されたカード等が挙げられる。
【発明の効果】
【００１９】  本発明の商品パッケージにおいては、本体箱と、透明で本体に接着されていない挿し窓とを構成とし、挿し窓に付属品を添付してから本体とセットすることで、効率良く本体内側に付属品をセットすることができる。また、挿し窓に付属品を添付する切れ込みの形状を工夫することにより、付属品の落下を防ぎ、付属品が箱の外部に露出する部分の違和感をなくし、箱へのセット作業を効率化することができる。【００２０】  すなわち、挿し窓の、パッケージ本体の開口を閉じる部分に、内方に向かって凸となる形状の複数の切り込みが形成され、付属品が、その辺縁部を上記切り込みに挿入することにより、挿し窓にパッケージ本体内部側から保持されているので、上記切り込みから挿し窓の外に露出する付属品の部分は、その辺縁部となる。つまり、従来のように挿し窓に直線状の切り込みを形成してそこに付属品の一部を挿入して保持させる場合、挿入させるのは付属品の隅部とする必要があるのに対し、凸形状の切り込みを利用するのであれば、そこに挿入するのは付属品の辺縁部でよいことになる。こうして、切り込みから挿し窓の外に露出するのが、付属品の辺縁部であるならば、この露出した部分がユーザー等の手に当たって違和感を与えたり、挿し窓を挿し入れる作業の妨げになることを防止できる。
【図面の簡単な説明】
【００２１】
【図１】本発明の一実施形態による商品パッケージを示す斜視図
【図２】図１の商品パッケージを分解して示す分解斜視図
【図３】図１の商品パッケージに用いられた挿し窓を示す斜視図
【図４】図１の商品パッケージの一部を示す縦断面図
【図５】本発明の別の実施形態による商品パッケージの一部を示す縦断面図
【図６】本発明のさらに別の実施形態による商品パッケージの一部を示す斜視図
【図７】図１の商品パッケージを、商品を除いて、特に挿し窓の要部が分かるように示す正面図
【図８】図１の商品パッケージを、商品を除いて、特に挿し窓の要部が分かるように示す背面図
【図９】図１の商品パッケージを、商品を除いて、特に挿し窓の要部が分かるように示す左側面図
【図１０】図１の商品パッケージを、商品を除いて、特に挿し窓の要部が分かるように示す右側面図
【図１１】図１の商品パッケージを、商品を除いて、特に挿し窓の要部が分かるように示す平面図
【図１２】図１の商品パッケージを、商品を除いて、特に挿し窓の要部が分かるように示す底面図
【図１３】図１の商品パッケージを、商品を除いて、特に挿し窓全体が分かるように示す正面図
【図１４】図１の商品パッケージを、商品を除いて、特に挿し窓全体が分かるように示す背面図
【図１５】図１の商品パッケージを、商品を除いて、特に挿し窓全体が分かるように示す左側面図
【図１６】図１の商品パッケージを、商品を除いて、特に挿し窓全体が分かるように示す右側面図
【図１７】図１の商品パッケージを、商品を除いて、特に挿し窓全体が分かるように示す平面図
【図１８】図１の商品パッケージを、商品を除いて、特に挿し窓全体が分かるように示す底面図
【図１９】図１の商品パッケージを、商品を除いて示す正面図
【図２０】図１の商品パッケージを、商品を除いて示す背面図
【図２１】図１の商品パッケージを、商品を除いて示す左側面図
【図２２】図１の商品パッケージを、商品を除いて示す右側面図
【図２３】図１の商品パッケージを、商品を除いて示す平面図
【図２４】図１の商品パッケージを、商品を除いて示す底面図
【図２５】図１の商品パッケージの外観状態を示す斜視図
【図２６】図１の商品パッケージを構成するパッケージ本体の展開図
【図２７】図１の商品パッケージを構成する挿し窓の展開図
【発明を実施するための形態】
【００２２】  以下、図面を参照して本発明の実施形態について説明する。図１は、本発明の一実施形態による商品パッケージ１の斜視形状を示すものである。図示のようにこの商品パッケージ１は、例えば２個の商品２を収容する箱状のパッケージ本体３と、パッケージ本体３の前側板３ａの内面に一部が沿う状態にしてこのパッケージ本体３の中に挿し込まれた挿し窓４と、この挿し窓４の一部の内面に接する状態でこの挿し窓４に保持された薄形の付属品５とを含んで構成されている。
【００２３】  図２は、上記商品パッケージ１の組立て前の状態を、上記要素３〜５を分解して示す分解斜視図である。以下この図２を参照して、各要素３〜５の詳細と、商品パッケージ１の組立てについて詳しく説明する。パッケージ本体３は、例えば厚紙や、薄手の合成樹脂板等から形成されている。このパッケージ本体３は、前後左右の側板すなわち前側板３ａ、後側板３ｂ、左側板３ｃおよび右側板３ｄと、底板３ｅと、該パッケージ本体３の上部に蓋部を構成する蓋板３ｆ、３ｇ、３ｈおよび３ｉとを有して、組立状態では箱状の形を呈する。
【００２４】  前側板３ａ、後側板３ｂ、左側板３ｃおよび右側板３ｄはそれぞれ、上から下に向かって細くなるテーパ形状とされている。ここで「上」および「下」とは、パッケージ本体３の姿勢に関わらず、底板３ｅの側を「下」とし、底板３ｅと反対側を「上」と規定するものである。前側板３ａ、後側板３ｂ、左側板３ｃおよび右側板３ｄが上述のようなテーパ形状とされていることにより、組立状態となったパッケージ本体３の全体も同じようにテーパ形状を呈する。このようなテーパ形状のパッケージ本体３は、例えば商品２の外形がテーパ形状である場合には、パッケージ本体３内における商品２の収まりが良い印象をユーザーに与え得るものとなる。
【００２５】  蓋板３ｆ、３ｇ、３ｈおよび３ｉはそれぞれ、前側板３ａ、後側板３ｂ、左側板３ｃおよび右側板３ｄの上端に、折れ部を介して連続したものである。これらの蓋板３ｆ、３ｇ、３ｈおよび３ｉは、図２に示すように互いに組み合わない状態では、パッケージ本体３の上部を開放した開蓋状態となる。また、これらの蓋板３ｆ、３ｇ、３ｈおよび３ｉは、一般的な紙製の箱等と同様に、例えば蓋板３ｈおよび３ｉを内方に折り曲げ、その上を覆うように蓋板３ｇを内方に折り曲げ、さらにその上を覆うように蓋板３ｆを内方に折り曲げ、蓋板３ｆの先端の挿し込み部３ｊを蓋板３ｇのスリット３ｋに挿し込む等により、パッケージ本体３の上部を閉じる閉蓋状態となる。
【００２６】  なお、上記蓋板３ｆ、３ｇ、３ｈおよび３ｉの折り曲げはいずれも、各蓋板に連続している前側板３ａ、後側板３ｂ、左側板３ｃおよび右側板３ｄに対して略直角となるようになされる。ここで、後側板３ｂには、パッケージ本体３を例えば商品売り場の壁面や展示棚（共に図示せず）等に掛けるための切り欠き３ｍが設けられている。
【００２７】  底板３ｅは、特に詳しくは図示していないが、一般には上記蓋板３ｆ、３ｇ、３ｈおよび３ｉと同様に前側板３ａ、後側板３ｂ、左側板３ｃおよび右側板３ｄに連続する部分を折り曲げ、そして組み合わせることによって構成される。しかし底板３ｅは、その他の構成とされても構わない。
【００２８】  また、側板の一部には開口３ｎが設けられている。より具体的にこの開口３ｎは、前側板３ａ、左側板３ｃおよび右側板３ｄの一部に形成されている。前側板３ａにおいて開口３ｎは、組み立てられたパッケージ本体３の強度を確保するために、上端部と下端部をある程度残して、それらの間の部分に形成されている。そしてこの開口３ｎは、前側板３ａの上記部分からさらに側外方に延ばして、左側板３ｃおよび右側板３ｄの一部にまで亘って形成されている。パッケージ本体３の中に収容された商品２は、この開口３ｎを通して外部から観察され得る。
【００２９】  パッケージ本体３の中には、例えば塩化ビニル板等の透明部材を用いて形成された、比較的薄い挿し窓４が配置される。この挿し窓４は、蓋板３ｆ、３ｇ、３ｈおよび３ｉからなる蓋部を図２に示すように開蓋状態にしておいて、これらの蓋板３ｆ、３ｇ、３ｈおよび３ｉの間を上から下に通してパッケージ本体３内に挿し込むことによって、該パッケージ本体３内に収められる。
【００３０】  挿し窓４は、パッケージ本体３の前側板３ａ、左側板３ｃおよび右側板３ｄの内面にそれぞれ接する３つの部分を有し、上下方向から見た断面の形状が「コ」字状とされたものである。挿し窓４の上記３つの部分は、各々パッケージ本体３の前側板３ａ、左側板３ｃおよび右側板３ｄに対応させて、各側板と緊密に重なり合うテーパ形状とされている。より具体的に、挿し窓４の上記３つの部分は、それぞれ前側板３ａ、左側板３ｃおよび右側板３ｄに対して、それよりも僅かに小さい相似形状とされている。
【００３１】  上記の形状とされている挿し窓４がパッケージ本体３の内部に収められると、開口３ｎを有するために本来変形し易くなっているパッケージ本体３が挿し窓４によって補強されるので、そのような変形が効果的に防止される。また、挿し窓４は透明部材から形成されているので、挿し窓４がパッケージ本体３の内部に収められても、開口３ｎを通して商品２を外部から観察可能である状態はそのまま維持される。
【００３２】  挿し窓４がパッケージ本体３の内部に収められた後、蓋板３ｆ、３ｇ、３ｈおよび３ｉは図１に示す閉蓋状態とされる。なお通常は、こうして挿し窓４がパッケージ本体３内に収められた後に、商品２がパッケージ本体３内に収容される。しかしそれに限らず、商品２がパッケージ本体３内に収容された後に、挿し窓４がパッケージ本体３内に収められても構わない。
【００３３】  上述のようにして挿し窓４がパッケージ本体３内に収められると、パッケージ本体３の開口３ｎが挿し窓４によって閉じられた状態となる。そこで、この開口３ｎを通って商品２がパッケージ本体３の外に出てしまうことがない。
【００３４】  また本実施形態においては、前述した通り、パッケージ本体３の前側板３ａ、後側板３ｂ、左側板３ｃおよび右側板３ｄがそれぞれ、上から下に向かって細くなるテーパ形状とされている。そして挿し窓４においても、パッケージ本体３の前側板３ａ、左側板３ｃおよび右側板３ｄにそれぞれ接する３つの部分が、各側板の形状に対応したテーパ形状とされている。そこで、パッケージ本体３の上部からその中に挿し窓４を挿し込む際に、それら両者が干渉し難くなり、挿し窓４を挿し込む作業が容易化される。
【００３５】  上記挿し窓４には、薄形の四角形の付属品５が保持される。この付属品５は、一例として、化粧料を内包したパウチ体である。本実施形態において、パッケージ本体３内に収容される商品２は例えば化粧品であり、上記パウチ体はその化粧品のサンプルとされる。つまり、商品２が貯えている化粧料と同じ試供用の化粧料や、あるいは商品２が貯えている化粧料とは異なる関連化粧料を内包したパウチ体が付属品５とされている。なお、このパウチ体とは、基本的にはアルミニウムシートや合成樹脂フィルム等からなる２枚のシート材間に内容物を配し、それらのシート材の周縁部を融着等により貼り合わせて積層加工したものを指す。
【００３６】  この付属品５は、挿し窓４の前面、すなわちパッケージ本体３の前側板３ａに接する部分に、パッケージ本体３の内部側から保持される。この付属品５の保持は、挿し窓４をパッケージ本体３に挿し込む前になされてもよいし、挿し込んだ後になされてもよい。付属品５の保持は、詳しくは以下のようにしてなされる。挿し窓４の上記前側板３ａに接する部分には、図３にも分かり易く示すように、複数の切り込み４ａが形成されている。本実施形態において、切り込み４ａは一例として４つ形成されており、これらの切り込み４ａはそれぞれ、内方に向かって凸となる湾曲部分を有する形状とされている。この湾曲部分は、より詳しくは、一般に山状あるいは舌状等と言われる形である。ここで、上記の「内方に向かって凸」とは、挿し窓４の開口３ｎを閉じる部分の外縁部から、挿し窓４の中心側に向かって凸になっていることを意味する。
【００３７】  付属品５は、挿し窓４の４つ切り込み４ａの部分に、パッケージ本体３の内部側から各々その辺縁部５ａを挿入することによって、挿し窓４に保持される。図４は、こうして付属品５を保持した挿し窓４を、パッケージ本体３の右側板３ｄ側から見た状態を示す断面図である。なお、この図４では、挿し窓４および付属品５の厚さを誇張して示しているので、挿し窓４の切り込み４ａの部分が大きく商品２側に突出して示されている。しかし実際は、切り込み４ａの大きさに比べて挿し窓４および付属品５の厚さは十分に小さいので、切り込み４ａの部分が図示の程度まで突出することはない。
【００３８】  以上の通りに付属品５を挿し窓４に保持させると、図２に示すように、挿し窓４の外側に露出する付属品５の部分は、その辺縁部５ａとなる。このように、線状の辺縁部５ａが挿し窓４の外側に露出している状態下では、付属品５の四隅部分が露出している場合とは異なって、付属品５の露出した部分がユーザー等の手に当たって違和感を与えたり、挿し窓４をパッケージ本体３に挿し入れる作業の妨げになることが防止される。
【００３９】  なお、挿し窓４に形成する複数の切り込み４ａの数は、本実施形態における４つに限定されるものではない。すなわち、この切り込み４ａの数は、２つあるいは３つ等とされても構わない。ただし、保持された付属品５が切り込み４ａから外れて脱落することを防止する上では、切り込み４ａの数は３つあるいは４つとするのが望ましく、特に付属品５が四角形のものである場合は、４つとするのが特に望ましい。
【００４０】  また、内方に向かって凸となる切り込み４ａの形も、本実施形態における形に限定されるものではない。すなわち切り込み４ａは、例えば、内方に向かって凸となる三角形状等とされてもよい。切り込み４ａがそのような形状であっても、挿し窓４の外側に露出する付属品５の部分は、図２に示すのと同様にその辺縁部５ａとなる。したがってその場合も、本実施形態におけるのと同様に、付属品５の露出した部分がユーザー等の手に当たって違和感を与えたり、挿し窓４をパッケージ本体３に挿し入れる作業の妨げになることを防止可能となる。
【００４１】  また、挿し窓４に保持させる付属品は１つに限られるものではなく、複数の付属品が保持されてもよい。図５は、そのように複数の付属品が保持された実施形態を示すものであり、ここでは、以上説明した付属品５と共に別の付属品６が挿し窓４に保持されている。この別の付属品６は、本例においては、商品２を使用するユーザーに向けたメッセージが表示されたカードである。このメッセージは、例えば商品２の使用に関わる説明文や、商品２あるいはそれに関連する別の商品についての広告文等とされる。図５の例では、そのようなカードである付属品６が付属品５の前側に配置されているが、その反対の順に付属品５および６が配置されてもよい。
【００４２】  さらに、付属品の形は、以上説明した実施形態における四角形に限られるものではない。例えば図６に示すように、概略円形の付属品１５が保持されてもよい。本例の付属品１５はより詳しくは楕円形であるが、その他に真円形、長円形、それらを合成した形などの付属品が適用されてもよい。さらに付属品の形は、四角形以外の多角形状であってもよい。
【００４３】  なお参考のために、組立て済みの商品パッケージ１を、特に挿し窓４の要部（４つの切り込み４ａが設けられている部分）を明示するように見た正面図、背面図、左側面図、右側面図、平面図および底面図を、それぞれ図７、図８、図９、図１０、図１１および図１２に示す。また、組立て済みの商品パッケージ１を、特に挿し窓４の全体を明示するように見た正面図、背面図、左側面図、右側面図、平面図および底面図を、それぞれ図１３、図１４、図１５、図１６、図１７および図１８に示す。また、組立て済みの商品パッケージ１の正面図、背面図、左側面図、右側面図、平面図および底面図を、それぞれ図１９、図２０、図２１、図２２、図２３および図２４に示す。さらに、商品を収容した商品パッケージ１の外観状態をそのまま（つまり、隠れている部分を破線で表すことなく）示す斜視図を図２５に、パッケージ本体３の展開図を図２６に、そして挿し窓４の展開図を図２７に示す。
【符号の説明】
【００４４】      １    商品パッケージ      ２    商品      ３    パッケージ本体      ３ａ  パッケージ本体の前側板      ３ｂ  パッケージ本体の後側板      ３ｃ  パッケージ本体の左側板      ３ｄ  パッケージ本体の右側板      ３ｅ  パッケージ本体の底板      ３ｆ〜３ｉ  パッケージ本体の蓋板      ３ｎ  パッケージ本体の開口      ４    挿し窓      ４ａ  挿し窓の切り込み      ５、６、１５    付属品      ５ａ    付属品の辺縁部
【図１】
2019021967.tif 000003
【図２】
2019021967.tif 000004
【図３】
2019021967.tif 000005
【図４】
2019021967.tif 000006
【図５】
2019021967.tif 000007
【図６】
2019021967.tif 000008
【図７】
2019021967.tif 000009
【図８】
2019021967.tif 000010
【図９】
2019021967.tif 000011
【図１０】
2019021967.tif 000012
【図１１】
2019021967.tif 000013
【図１２】
2019021967.tif 000014
【図１３】
2019021967.tif 000015
【図１４】
2019021967.tif 000016
【図１５】
2019021967.tif 000017
【図１６】
2019021967.tif 000018
【図１７】
2019021967.tif 000019
【図１８】
2019021967.tif 000020
【図１９】
2019021967.tif 000021
【図２０】
2019021967.tif 000022
【図２１】
2019021967.tif 000023
【図２２】
2019021967.tif 000024
【図２３】
2019021967.tif 000025
【図２４】
2019021967.tif 000026
【図２５】
2019021967.tif 000027
【図２６】
2019021967.tif 000028
【図２７】
2019021967.tif 000029
【国際調査報告】
2019021967.tif 000030
2019021967.tif 000031
2019021967.tif 000032
2019021967.tif 000033